(57)【要約】      （修正有）【課題】床敷物の切断施工時、端から端まで切れるシートカッターを提供する。【解決手段】本体と前記本体を支持する支持体を可動的に接続するための二本のシャフト６、７を有し、前記本体と前記支持体の揺動運動により前記支持体より刃３、４を出す。【選択図】図２
2019146942.tif 000002
【特許請求の範囲】
【請求項１】
第一の刃と第二の刃と、
前記第一の刃と第二の刃を設けた本体と、
前記本体と可動的に接続された支持体とを有し
前記本体を前記支持体に対して動かして
前記支持体から前記第一の刃又は前記第二の刃を出す
ことを特徴とするカッター。
【請求項２】
本体と前記本体を支持する支持体を可動的に接続するための
二本のシャフトを有し、
前記本体と前記支持体の揺動運動により
前記支持体より刃を出す
請求項１に記載のカッター。
【請求項３】
本体に設けた溝又は突起と、
支持体に設けた溝又は突起により
前記本体と前記支持体を可動的に接続し
前記本体と前記支持体の揺動運動により
前記支持体より刃を出す
請求項１に記載のカッター。
【請求項４】
底面のガイドと、
前記底面に略直行方向に伸びた部位を有するガイドの間より刃を出す、
請求項１に記載のカッター。
【請求項５】
本体に設けた凹又は凸に
支持体に設けた凹又は凸が入り、
前記本体と前記支持体が静止制御される
請求項１に記載のカッター。
【請求項６】
本体に設けた溝又は突起と
支持体に設けた溝又は突起により
前記本体と前記支持体を可動的に接続し
前記支持体端部に突出させた刃が横移動することを特徴とする
請求項１に記載のカッター。
【発明の詳細な説明】
【技術分野】
【０００１】  この発明は、床敷物を床面の形状に端から端まで切る事の出来る床敷物のコーナーカッターに関するものである。
【背景技術】
【０００２】  従来、床敷物を床面の形状に切断施工する時、床敷物の上からカーペットカッタを床面と壁面に押し当て沿わせ滑らせる事で床敷物の余分な端部を切り取っていくが、壁面に囲まれた入り隅では切り始めと切り終わりの部分には切り残る部分が出来てしまう。（特許文献１）【０００３】  両端部に刃を出すシートカッターが有るが刃を突出させる構造である真円運動の回転軸が１つで、切断位置の高さより上部に有る為端部に切り残しが出来る。（特許文献２）【０００４】  又、真円運動の回転軸が１つで切断位置の高さより下部に有する物も有るが刃物が刃付けのない部分より、切断対象物に入って行く為、刃付けのない部分から無理に押し込み切断しようとしたシートは破れたり表面の美観を損ねる（特許文献３）【０００５】  前記回転軸が下部に有る物の問題点を解決し、床敷物を切断できるように、２方向に刃付けをする事で端部まで切れるようにする物も考えられたが、２方向に刃付けを行った刃は、硬質な床敷物を切ると先端の刃折れや刃こぼれを起こしてしまう。又、刃を端部に突出した状態のままでは安定して切る事ができない。（特許文献４）
【先行技術文献】
【０００６】
【特許文献１】特開昭５０−９５９００
【特許文献２】特開２０１１−１６１１９３
【特許文献３】特開２０１３−２５５７７４
【特許文献４】特開２０１６−３９８９４
【発明の概要】
【発明が解決しようとする課題】
【０００７】  従来のカーペットカッタには次のような欠点があった。本体の中央部分付近に刃を突出させている為、壁面に囲まれた入り隅では、刃の前後にある本体部分が接触し切り残る部分が出来てしまう。床敷物は壁紙と異なり硬質である為、床敷物に対して６０°前後の切断角度で切る事が望ましい。そのためカッターナイフの刃を本体の端部に設けてもカッターナイフの刃の背の部分が側壁面と接触してしまう為、切り始めの部分に切り残しが出来る。（図３）【０００８】  又、カーペットカッタが刃を端部に設けず、カーペットカッタ中央部に近づけ設けているのには理由がある。床敷物を切り落とすには大変大きな力で、床敷物の上からカーペットカッタを床面と壁面に押しつけ滑らせるが、刃がカーペットカッタ端部に位置していると刃を設けたカーペットカッタ端部に力をかけなければならない為、刃と逆側の端部は床敷物の弾力による反発力により浮き上がり安定して切る事が困難となる。その為、刃の位置をカーペットカッタ中央付近に近づけるように設けている。【０００９】  床敷物のコーナー部分は切れないが両端部分に刃を設け、本体を傾ける事で、一方の刃を突出させるシートカッター（特許文献２）は安全性を考慮する上で、本体を傾けていない時は、刃が本体又はガイド板から出ていてはいけない。そのため切断位置の高さＡよりも真円回転軸Ｂが上部に有る時、刃先ＣはＢを軸としてＤの軌道を辿る為、シート端部Ｅに切り残しが出来てしまう。又、１枚の平板状のガイド板では床面と壁面に押し当ててガイドさせる事は出来ず床敷物を切る事は出来ない。（図４）【００１０】  壁紙用のヘラカッターで真円運動の回転軸が切断部分より下部に位置する物（特許文献３）はＦの円弧の中心点となるＧを回転軸として、真円運動で刃先Ｈは矢印Ｉ方向へと移動する。その為、切断物に接触後、刃付けされていない部分Ｊから押し込む事になる為、刃が床敷物では入らない。又、前記同様、１枚の平板状のガイド板では床敷物を切る事は出来ない。（図５）【００１１】  前記切れ残りの問題点を解決し、床敷物を切れるよう考えられた物（特許文献４）は、２方向に刃を付ける事で端部まで切れるようにした物であるが、限られた刃の厚さで２方向に刃付けを行った刃は、硬質な床敷物を切ると先端の刃折れや刃こぼれを起こしてしまう。又、刃が本体端部に位置した状態で床敷物の切断を行う為、床敷物切断時の押さえる力のバランスが取りづらく安定して切れない。又、使用中に突出させていた刃が本体の傾きを一定に保てず刃が引っ込んでしまう事もある上、逆側の刃が出てしまった時は引っかかってしまうという危険もあった。本発明は以上のような欠点をなくす為になされたものである。
【発明を解決する為の手段】
【００１２】  図６は本発明の刃とシャフトの動きを矢印で表した図である。グリップの両端部分に左刃と右刃を設け本体を２本のシャフトでグリップ支持板と可動的に接続する。この時２本のシャフトが下から上に向かって逆ハの字に広がっている。この２本のシャフトが平行になっていると、左刃と右刃は同じ高さで移動するだけとなり、反対に下に向かって広がっていると、逆方向の刃が先に出てしまい床敷物を切る事ができない。前記、逆ハの字になったシャフトで支持板と接続された本体に設けられた刃の先端は横方向に移動しグリップ支持板の側面より突出された後、下方向に移動して床敷物に入っていく。この構造により床敷物端部を切り残す事なく切り始める事が出来る。
【００１３】  そして、この前記シャフトの接続穴が下死点となった時、回転が自動的に静止制御され床敷物の切断中に逆回転する危険も回避できる。
【００１４】  スライディングベースとスライディングベースカバーを接続する時、横方向の長穴で可動的に接続する。本体を傾け刃を出し切断方向に力を加えた時に本体に設けられた刃は、スライディングベース中央側に移動する。この刃の移動により、床敷物の切断時の不安定さを解決できる。
【００１５】  又、前記本発明のシャフトによる揺動運動と同様の動きを得る方法として、シャフト上部の接続点の軌道ＫとＬをレール溝として本体支持板に設け、グリップに前記レール溝に入る突起を設けグリップとグリップ支持板を摺動させる事でも同様の刃の動きを得られる。（図７）
【００１６】  又、レール溝の下死点部分から切断方向に溝を伸ばしてやる事でグリップは、スライディングベース中央に近づく為、スライディングベースとグリップ支持板とを長穴で接続した時と同様の刃の位置関係が得られる。
【００１７】  三ケ月形の刃付けをした刃を使用する事で最端部分に刃先が届き、かつ、切断角度を大きく出来る。
【発明の効果】
【００１８】  従来の真円運動での刃の突出では切り残りのできたシート端部の切断を、逆ハの字に設けた２本のシャフトによる両テコの揺動運動の動きを取り入れる事で刃先が横方向に突出された後、下方向に下りるという理想の楕円軌道を得ることができ床敷物を最端部分まで切る事ができる。
【００１９】  又、グリップを傾け刃を出して切断方向に力を加える事で本体が横方向にスライドする事で床面と壁面に接している、スライディングベースの中央に刃が寄るため、硬い床敷物も安定したバランスで切る事ができる。
【００２０】  又、グリップを傾け刃を出し切断方向に力を加えている間は、傾けたグリップの位置が自動的に静止制御される事で大変力を加えやすく切りやすいだけでなく、逆回転し逆の刃が出てつんのめる危険もなく安全に作業できる。
【００２１】  又、三ケ月形の刃を使用する事で、床敷物を最端部分から切れ、かつ、刃付け部分と床敷物との切断角度を大きくできる事で、硬く弾力のある床敷物でも、刃から滑って逃げてしまわず、切り損じる事がない。
【図面の簡単な説明】
【００２２】
【図１】本発明の斜視図である。
【図２】本発明の分解斜視図である。
【図３】従来品の刃の位置と角度の図である。
【図４】真円運動の回転軸が切断位置より上の図である。
【図５】真円運動の回転軸が切断位置より下の図である。
【図６】本発明の刃の動きを表した図である。
【図７】本発明のシャフトによる動き同様の効果を生み出す溝付き支持板の図である。
【図８】本発明品に適した刃の図である。
【発明を実施するための形態】
【００２３】  以下、図面を参照しながら、本発明を実施するための形態について説明する。なお、本明細書及び図面においては、同一の符号が付された構成要素は同一の構成または機能を有するものとする。
【００２４】  図１は本発明にかかる床敷物コーナーカッターの一例として構成を示す斜視図で、グリップ表側１の両端部分には床敷物を切断するための刃３と刃４を設ける。前記刃３と４はカッターナイフの直刀でも良いが三ケ月形の刃（図８）を使用する事でより切断力を向上できる。
【００２５】  グリップ１は左シャフト６と右シャフト７によってグリップ支持板５と可動的に接続されている。シャフト上部の穴８にグリップ１に設けたグリップ接続突起１０を入れ、シャフト下部の突起９を、グリップ支持板５の支持板接続穴１１へ入れグリップ表面１とグリップ裏側２で挟み込む。シャフト６とシャフト７は下から上に向かって、逆ハの字となるように広がっている。この構造によりグリップ１を横方向に押し下げる事でグリップ１に設けられた刃３、又は刃４の刃先は楕円軌道を辿り真上から床敷物へと入る。
【００２６】  スライディングベース１２は、床面に沿わせる底面と、壁面に沿わせる側面から構成され、前記底面と側面の間には、刃３と刃４を突出させるための隙間を設けている。
【００２７】  スライディングベース１２の底面に突起１３を設け、前記突起１３とスライディングベースカバー１４の長穴１５とを可動的に接続する。この長穴１５により、切断時突出された刃３、又は刃４は、グリップ１が切断方向に力を受ける事で切断方向の横方向へとスライディングベースカバーの端部より中央方向へ移動する。この構造により安定して床敷物を切断する事ができる。
【００２８】  グリップ支持板５とスライディングベース１２は、グリップ支持板に設けられた縦長穴１６によって接続されている。支持板調整ネジ１７を緩めるとグリップ支持板５と施工時の壁面との距離を可変できる。この構造によりグリップ１の端部に設けた刃３と刃４も壁面からの距離を調整でき、床敷物の切る長さを変えることができる。
【００２９】  又、前記シャフト６及び７同様の効果を得られる方法としてグリップ支持板５に、シャフト上部穴８が辿る軌道と同様の溝１８を設け、グリップ１内部に前記溝１８に沿う突起１０を設ける。前記一対の溝１８と前記一対の突起１９を可動的に接続する事でグリップ１端部に設けられた刃３と４は使用時、前記シャフト同様本体側面方向へ突出された後、床敷物のある下方向へ下りていく楕円軌道を辿る。
【００３０】  溝付きグリップ支持板１９は、溝１８最下部より内側切断方向に向けて溝１８を延長している。使用時切断方向に力を加えるとグリップ接続突起１０がグリップ支持板の内側に移動し、同様に刃３又は刃４もスライディングベース１２の端部から中央に近い部分へと移動する。この内側に向かって延長された溝１８に突起１０が入り込む事でグリップ１は回転も静止制御される。（図７下）
【００３１】  支持板凹部２０とバネ２１により力を加えていない時は、刃３と刃４が本体より突出されていない状態を保つ。
【００３２】  刃固定カバー２２に設けたネジ穴に入れた六角穴付き止めネジで長さを調整した刃３と刃４を固定する。使用時、頭部のないネジはスライディングベース１２と接触しない。
【００３３】  グリップ支持板１９に設けられた個個の溝１８は、真円の円弧と直線から構成されているが、円弧部分が楕円や直線から構成されていても刃３や刃４が側面方向に移動された後、下方向に下ろせるレールとなれば問題ない。
【００３４】  以上、図面を参照しながら本発明の好適な実施の形態について説明したが本発明は上述した形態に限定されない。すなわち、特許請求の範囲に記載された発明の範囲内で当業者が想到し得る形態または各種の変更例についても本発明の技術的範囲に属するものと理解される。
【符号の説明】
【００３５】  １  グリップ表側
２  グリップ裏側
３  左切断刃
４  右切断刃
５  グリップ支持板
６  左シャフト
７  右シャフト
８  シャフト上部穴
９  シャフト下部突起
１０  グリップ接続突起
１１  支持板接続穴
１２  スライディングベース
１３  スライディングベース接続突起
１４  スライディングベースカバー
１５  横長穴
１６  縦長穴
１７  支持板調整ネジ
１８  摺動溝
１９  溝有りグリップ支持板
２０  支持板凹部
２１  センター維持バネ
２２  刃固定カバー
２３  刃固定ネジ
【図１】
2019146942.tif 000003
【図２】
2019146942.tif 000004
【図３】
2019146942.tif 000005
【図４】
2019146942.tif 000006
【図５】
2019146942.tif 000007
【図６】
2019146942.tif 000008
【図７】
2019146942.tif 000009
【図８】
2019146942.tif 000010
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
第一の刃と第二の刃と、
前記第一の刃と前記第二の刃を設けた本体と、
前記本体と可動的に接続された支持体とを有し、
前記本体と前記支持体が静止制御され、
前記本体が前記支持体に対して動くことにより前記支持体の切断対象物と接触する辺又は前記辺の延長線から前記第一の刃又は前記第二の刃が出るカッターにおいて、
前記第一の刃又は前記第二の刃の刃先が前記辺に対して略垂直の軌道で動くことにより、前記辺又は前記辺の延長線から前記第一の刃又は前記第二の刃の刃先が出ることを特徴とするカッター。
【請求項２】
前記本体は前記支持体に対して回転移動と直線移動とで動くことにより前記辺又は前記辺の延長線から前記第一の刃又は前記第二の刃が出ること、
前記第一の刃の直線運動の軌跡と、前記第二の刃の直線運動の軌跡とが鋭角を形成することを特徴とする請求項１に記載のカッター。
【請求項３】
前記本体は前記支持体に対して楕円軌道で動くことにより前記辺又は前記辺の延長線から前記第一の刃又は前記第二の刃が出ることを特徴とする請求項１に記載のカッター。
【請求項４】
前記本体と前記支持体が静止制御された状態において、前記第一の刃又は前記第二の刃における刃の先端と刃付けされていない部分とを有する端面が、前記辺に対して略垂直を向いていることを特徴とする請求項１に記載のカッター。
【請求項５】
前記本体は前記支持体に対して、楕円軌道で動き、前記辺又は前記辺の延長線から前記第一の刃又は前記第二の刃が出た後、前記切断対象物に対して略平行に移動することにより、前記本体と前記支持体が静止制御される請求項４に記載のカッター。
【請求項６】
前記第一の刃又は第二の刃の形状に三カ月形の部分を含む請求項１乃至５に記載のカッター。
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
第一の刃と第二の刃と、
前記第一の刃と前記第二の刃を設けた本体と、
前記本体と可動的に接続され、切断対象物と接触する支持体とを有し、
前記本体と前記支持体が静止制御され、
前記本体が前記支持体に対して動くことにより前記支持体の切断対象物と接触する辺又は前記辺の延長線から前記第一の刃又は前記第二の刃が出るカッターにおいて、
前記第一の刃又は前記第二の刃が円弧軌道又は楕円軌道を辿り前記切断対象物の真上から前記切断対象物に入ることを特徴とするカッター。
【請求項２】
前記本体は前記支持体に対して回転移動で動くことにより前記第一の刃又は前記第二の刃が円弧軌道又は楕円軌道を辿り前記切断対象物の真上から前記切断対象物に入ることを特徴とする請求項１に記載のカッター。
【請求項３】
前記本体と前記支持体が静止制御された状態において、前記第一の刃又は前記第二の刃における刃の先端と刃付けされていない部分とを有する端面が、前記辺に対して略垂直を向いていることを特徴とする請求項１に記載のカッター。
【請求項４】
前記本体は前記支持体に対して、楕円軌道で動き、前記辺又は前記辺の延長線から前記第一の刃又は前記第二の刃が出た後、前記切断対象物に対して略平行に移動することにより、前記本体と前記支持体が静止制御される請求項３に記載のカッター。
【請求項５】
前記第一の刃又は第二の刃の形状に三カ月形の部分を含む請求項１乃至４に記載のカッター。